【手続補正書】
【提出日】平成19年1月11日(2007.1.11)
【手続補正１】
【補正対象書類名】特許請求の範囲
【補正対象項目名】全文
【補正方法】変更
【補正の内容】
【特許請求の範囲】
【請求項１】
物体側から順に、正の屈折力を有する第１レンズ群と、負の屈折力を有する第２レンズ群と、開口絞りと、正の屈折力を有する第３レンズ群とを備え、
前記第１レンズ群は、最も物体側に位置する正レンズと負レンズの貼り合わせレンズを少なくとも１組含んで構成され、
前記第２レンズ群は、負の屈折力を持つ３枚の貼り合わせレンズから構成され、
前記第３レンズ群は、最も物体側に位置する物体側に凹面を向けた負の屈折力を持つ３枚の貼り合わせレンズを含んで構成され、
高倍率から低倍率側にフォーカシングする際に、前記第１レンズ群と前記第２レンズ群との空気間隔、及び、前記第２レンズ群と前記第３レンズ群との空気間隔が変化することを特徴とする変倍レンズ。
【請求項２】
高倍率から低倍率側にフォーカシングする際に、前記第１レンズ群と前記第２レンズ群との空気間隔が増加することを特徴とする請求項１に記載の変倍レンズ。
【請求項３】
前記第２レンズ群の焦点距離をｆ２とし、最高倍率時におけるレンズ系全体の焦点距離をｆとしたとき、次式、
−７．０５＜ｆ２／ｆ＜−１．５４
の条件を満足することを特徴とする請求項１又は２に記載の変倍レンズ。
【請求項４】
最高倍率時における前記第１レンズ群と前記第２レンズ群の合成焦点距離をｆ１２とし、前記第３レンズ群の焦点距離をｆ３としたとき、次式、
１．２９＜ｆ１２／ｆ３＜１．９１
の条件を満足することを特徴とする請求項１〜３のいずれかに記載の変倍レンズ。
【請求項５】
最高倍率時における前記第１レンズ群と前記第２レンズ群との空気間隔をＤ１２とし、最高倍率時におけるレンズ系全体の焦点距離をｆとしたとき、次式、
０．００６＜Ｄ１２／ｆ＜０．０２６
の条件を満足することを特徴とする請求項１〜４のいずれかに記載の変倍レンズ。
【請求項６】
最高倍率時における前記第１レンズ群と前記第２レンズ群との空気間隔をＤ１２とし、最高倍率時における前記第２レンズ群と前記第３レンズ群との空気間隔をＤ２３としたとき、次式、
０．０２８＜Ｄ１２／Ｄ２３＜０．２
の条件を満足することを特徴とする請求項１〜５のいずれかに記載の変倍レンズ。
【請求項７】
前記開口絞りの前後にフレア絞りを有することを特徴とする請求項１〜６のいずれかに記載の変倍レンズ。
【手続補正２】
【補正対象書類名】明細書
【補正対象項目名】０００５
【補正方法】変更
【補正の内容】
【０００５】
このような目的を達成するため、本発明に係る変倍レンズは、物体側から順に、正の屈折力を有する第１レンズ群と、負の屈折力を有する第２レンズ群と、開口絞りと、正の屈折力を有する第３レンズ群とを備え、前記第１レンズ群は、最も物体側に位置する正レンズと負レンズの貼り合わせレンズを少なくとも１組含んで構成され、前記第２レンズ群は、負の屈折力を持つ３枚の貼り合わせレンズから構成され、前記第３レンズ群は、最も物体側に位置する物体側に凹面を向けた負の屈折力を持つ３枚の貼り合わせレンズを含んで構成され、高倍率から低倍率側にフォーカシングする際に、前記第１レンズ群と前記第２レンズ群との空気間隔、及び、前記第２レンズ群と前記第３レンズ群との空気間隔が変化するように構成されている。
【手続補正３】
【補正対象書類名】明細書
【補正対象項目名】００１５
【補正方法】変更
【補正の内容】
【００１５】
そして、本発明に係る変倍レンズは、第１レンズ群は最も物体側に位置する正レンズと負レンズの貼り合わせレンズを少なくとも１組含んで構成され、第２レンズ群は負の屈折力を持つ３枚の貼り合わせレンズから構成され、第３レンズ群は最も物体側に位置する物体側に凹面を向けた負の屈折力を持つ３枚の貼り合わせレンズを含んで構成されている。
【手続補正４】
【補正対象書類名】明細書
【補正対象項目名】００３２
【補正方法】変更
【補正の内容】
【００３２】
これから説明する、本発明に係る変倍レンズの４つの実施例においては、図１、図５、図９、図１３にそれぞれ示すように、いずれも、物体側から順に、正の屈折力を有する第１レンズ群Ｇ１と、負の屈折力を有する第２レンズ群Ｇ２と、開口絞りＳと、正の屈折力を有する第３レンズ群Ｇ３とを備え、第１レンズ群Ｇ１は最も物体側に位置する正レンズと負レンズの貼り合わせレンズを少なくとも１組含み、第２レンズ群Ｇ２は負の屈折力を持つ３枚の貼り合わせレンズからなり、第３レンズ群Ｇ３は最も物体側に位置する物体側に凹面を向けた負の屈折力を持つ３枚の貼り合わせレンズを含むと構成とした。
【手続補正５】
【補正対象書類名】明細書
【補正対象項目名】００３８
【補正方法】変更
【補正の内容】
【００３８】
（表１）
Fe＝7.7
ｍ      ｒ        ｄ          ν        ｎ
1   702.0736     8.5000      82.52    1.497820      L1
2   -40.5552     2.4500      64.12    1.516800      L2
3   175.9380     0.2000                1.000000
4    70.0000     4.5000      48.87    1.531720      L3
5    53.1031     9.5000      67.87    1.593189      L4
6  -436.6233    d6（可変）            1.000000
7    39.0048     6.5000      67.87    1.593189      L5
8    95.5568     2.5000      52.32    1.517420      L6
9    24.3988     5.4000      47.82    1.757000      L7
10   23.7124    14.7500                1.000000
11   開口絞りＳ d11(可変)              1.000000
12   -23.8762    5.4000      50.85    1.570990      L8
13   -18.2210    3.5000      52.32    1.517420      L9
14   -47.0835    6.0000      67.87    1.593189      L10
15   -42.3346    5.0000  1.000000
16  -267.1949    7.0500      67.87    1.593189      L11
17   -31.4666    2.4000      48.87    1.531720      L12
18   -58.3639    0.2000  1.000000
19   -347.2786   2.5500      52.95    1.571350      L13
20     69.8200   8.0000      82.52    1.497820      L14
21   -106.4123                        1.000000 
（変倍における可変間隔）
β        -1.75        -1.00         -0.5833
D0      102.3573      154.5617      244.0704 
d6        2.15000       7.00000      10.90000
d11      12.65000      12.30000      10.10000
（条件式対応値）
ｆ２  ＝-290.500
ｆ    ＝ 120.029
ｆ１２＝ 174.429
ｆ３  ＝ 118.853
Ｄ１２＝ 2.15
Ｄ２３＝ 27.4
（条件式）
（１）  ｆ２／ｆ      ＝-2.42
（２）  ｆ１２／ｆ３  ＝ 1.47
（３）  Ｄ１２／ｆ    ＝ 0.018
（４）  Ｄ１２／Ｄ２３＝ 0.078